(57)【要約】【課題】画像形成装置を使用しているユーザに、当該画像形成装置に印刷指示をしたユーザがいることを知らせることができ、かつ、当該画像形成装置に待機するか否かの判断材料を与えることができる交流支援装置を提供する。【解決手段】交流支援装置３は、ユーザ特性情報を登録するユーザ特性登録部１１１Ｌと、待機判断情報を指示ユーザのユーザ特性情報を用いて作成する待機判断情報作成部１１３Ｓと、使用中ユーザと指示ユーザの両方が存在するという条件を含む通知条件を充足する場合に行われる使用中ユーザに対する通知であって、指示ユーザが存在することを示す情報及び待機判断情報を含む情報を通知情報とする通知の制御を行う制御部１１４と、備える。【選択図】図２
2020155017.tif 000002
【特許請求の範囲】
【請求項１】
複数のユーザの各々について、ユーザの特性を示す情報であるユーザ特性情報を登録するユーザ特性登録部と、
画像形成装置に印刷指示をしたユーザである指示ユーザの来訪を待機するか否かについての前記画像形成装置を使用しているユーザである使用中ユーザの判断に役立つ情報である待機判断情報を、前記指示ユーザの前記ユーザ特性情報を用いて作成する待機判断情報作成部と、
前記使用中ユーザと前記指示ユーザの両方が存在するという条件を含む通知条件を充足する場合に行われる前記使用中ユーザに対する通知であって、前記指示ユーザが存在することを示す情報及び前記待機判断情報作成部によって作成された前記待機判断情報を含む情報を通知情報とする通知の制御を行う制御部と、
備える交流支援装置。
【請求項２】
前記複数のユーザの各々について、ユーザが交流を希望する特性を示す情報である交流希望特性情報を登録する交流希望特性登録部を更に備え、
前記通知条件は、前記指示ユーザの前記ユーザ特性情報が前記使用中ユーザの前記交流希望特性情報によって定まる交流希望要件を充足すること、又は、前記使用中ユーザの前記ユーザ特性情報が前記指示ユーザの前記交流希望特性情報によって定まる交流希望要件を充足することのいずれか又は両方を充足するという条件を更に含む、
請求項１に記載の交流支援装置。
【請求項３】
前記複数のユーザの各々について、ユーザが交流を希望する特性を示す情報である交流希望特性情報を登録する交流希望特性登録部を更に備え、
前記通知条件は、前記指示ユーザの前記ユーザ特性情報が前記使用中ユーザの前記交流希望特性情報によって定まる交流希望要件を充足するという条件を更に含む、
請求項１に記載の交流支援装置。
【請求項４】
前記複数のユーザについて、ユーザが交流を希望する特性を示す交流希望特性情報を登録する交流希望特性登録部を更に備え、
前記通知条件は、前記使用中ユーザの前記ユーザ特性情報が前記指示ユーザの前記交流希望特性情報によって定まる交流希望要件を充足するという条件を更に含む、
請求項１に記載の交流支援装置。
【請求項５】
前記交流希望要件は、前記交流希望特性情報が示す１又は複数の特性と、前記ユーザ特性情報が示す１又は複数の特性と、が少なくとも１つ一致するという要件である、
請求項２〜請求項４の何れか１項に記載の交流支援装置。
【請求項６】
前記複数のユーザの各々について、非通知希望特性情報を登録する非通知希望特性登録部を更に備え、
前記通知条件は、前記指示ユーザの前記ユーザ特性情報が前記使用中ユーザの前記非通知希望特性情報によって定まる非通知希望要件を充足しないという条件を更に含む、
請求項１〜請求項５の何れか１項に記載の交流支援装置。
【請求項７】
前記指示ユーザの操作又は前記指示ユーザによる印刷指示の文書内容に応じて、前記指示ユーザの印刷指示に対して非通知指定をする非通知指定部を更に備え、
前記通知条件は、前記指示ユーザの前記印刷指示に前記非通知指定がされていないという条件を更に含む、
請求項１〜請求項６の何れか１項に記載の交流支援装置。
【請求項８】
前記文書内容は、文書ファイルのファイル名を含む、
請求項７に記載の交流支援装置。
【請求項９】
前記交流支援装置は、前記複数のユーザの各々について、通知を禁止するユーザを登録する通知禁止ユーザ登録部を更に備え、
前記通知条件は、前記使用中ユーザが、前記指示ユーザの前記通知を禁止するユーザではないという条件を更に含む、
請求項１〜請求項８の何れか１項に記載の交流支援装置。
【請求項１０】
前記ユーザ特性登録部は、ユーザの印刷指示の文書内容から抽出した当該ユーザのユーザ特性情報を自動的に登録する自動登録部を含んで構成される、
請求項１〜請求項９の何れか１項に記載の交流支援装置。
【請求項１１】
前記通知が行われた場合に、前記使用中ユーザの操作を受け付ける操作受付手段と、
前記操作に応じた内容を応答情報とする応答通知であって、前記指示ユーザの端末装置から前記指示ユーザに対してする応答通知の制御を行う第２制御部と、
を更に備える請求項１〜請求項１０の何れか１項に記載の交流支援装置。
【請求項１２】
前記交流支援装置は、
前記指示ユーザが前記画像形成装置に近づいたことの検知をする指示ユーザ検知部と、
前記指示ユーザが前記画像形成装置に近づいたことを示す情報が含まれる情報を接近通知情報として前記画像形成装置から前記使用中ユーザに通知する制御である接近通知制御を、前記指示ユーザ検知部によって前記検知がされたという条件を含む接近通知条件を充足する場合に行う接近通知制御部と、
を更に備える請求項１〜請求項１１の何れか１項に記載の交流支援装置。
【請求項１３】
前記指示ユーザ検知部は、前記指示ユーザが携帯している携帯端末装置と前記画像形成装置との通信時における電波強度を用いて、前記検知をする、
請求項１２に記載の交流支援装置。
【請求項１４】
コンピュータを、請求項１〜請求項１１の何れか１項に記載の各部として機能させるためのプログラム。
【発明の詳細な説明】
【技術分野】
【０００１】
本開示は、交流支援装置に関する。
【背景技術】
【０００２】
シェアオフィスでは、複数の入居者で画像形成装置が共用されることがある。
【先行技術文献】
【特許文献】
【０００３】
【特許文献１】特開２００８−２１７６６４号公報
【発明の概要】
【発明が解決しようとする課題】
【０００４】
シェアオフィスのような複数のユーザが利用する場所に、複数のユーザによって共用される画像形成装置が設置されている場合、画像形成装置の周りでユーザ同士の交流が生まれることがある。
【０００５】
しかし、画像形成装置に来訪するタイミングが偶然重なる等しないと交流が生まれにくい側面もある。
【０００６】
なお、交流に関する技術として、特許文献１にはコラボレーション支援システムが開示されている。このシステムでは、アイデア情報がコラボレーション支援サーバに登録され、アイデア情報を登録した入居者以外が電子掲示板の近くを通りかかったことが検知された場合に、電子掲示板にアイデア情報が表示される。しかし、この技術は、上記問題点を解決するものではない。
【０００７】
本開示は、画像形成装置を使用しているユーザに、当該画像形成装置に印刷指示をしたユーザがいることを知らせることができ、かつ、当該画像形成装置に待機するか否かの判断材料を与えることができる交流支援装置を提供することを目的とする。
【課題を解決するための手段】
【０００８】
第１の態様に係る交流支援装置は、複数のユーザの各々について、ユーザの特性を示す情報であるユーザ特性情報を登録するユーザ特性登録部と、画像形成装置に印刷指示をしたユーザである指示ユーザの来訪を待機するか否かについての前記画像形成装置を使用しているユーザである使用中ユーザの判断に役立つ情報である待機判断情報を、前記指示ユーザの前記ユーザ特性情報を用いて作成する待機判断情報作成部と、前記使用中ユーザと前記指示ユーザの両方が存在するという条件を含む通知条件を充足する場合に行われる前記使用中ユーザに対する通知であって、前記指示ユーザが存在することを示す情報及び前記待機判断情報作成部によって作成された前記待機判断情報を含む情報を通知情報とする通知の制御を行う制御部と、備える。
【０００９】
第２の態様に係る交流支援装置は、第１の態様において、前記複数のユーザの各々について、ユーザが交流を希望する特性を示す情報である交流希望特性情報を登録する交流希望特性登録部を更に備え、前記通知条件は、前記指示ユーザの前記ユーザ特性情報が前記使用中ユーザの前記交流希望特性情報によって定まる交流希望要件を充足すること、又は、前記使用中ユーザの前記ユーザ特性情報が前記指示ユーザの前記交流希望特性情報によって定まる交流希望要件を充足することのいずれか又は両方を充足するという条件を更に含む。
【００１０】
第３の態様に係る交流支援装置は、第１の態様において、前記複数のユーザの各々について、ユーザが交流を希望する特性を示す情報である交流希望特性情報を登録する交流希望特性登録部を更に備え、前記通知条件は、前記指示ユーザの前記ユーザ特性情報が前記使用中ユーザの前記交流希望特性情報によって定まる交流希望要件を充足するという条件を更に含む。
【００１１】
第４の態様に係る交流支援装置は、第１の態様において、前記複数のユーザについて、ユーザが交流を希望する特性を示す交流希望特性情報を登録する交流希望特性登録部を更に備え、前記通知条件は、前記使用中ユーザの前記ユーザ特性情報が前記指示ユーザの前記交流希望特性情報によって定まる交流希望要件を充足するという条件を更に含む。
【００１２】
第５の態様に係る交流支援装置は、第２〜第４の何れかの態様において、前記交流希望要件は、前記交流希望特性情報が示す１又は複数の特性と、前記ユーザ特性情報が示す１又は複数の特性と、が少なくとも１つ一致するという要件である。
【００１３】
第６の態様に係る交流支援装置は、第１〜第５の何れかの態様において、前記複数のユーザの各々について、非通知希望特性情報を登録する非通知希望特性登録部を更に備え、前記通知条件は、前記指示ユーザの前記ユーザ特性情報が前記使用中ユーザの前記非通知希望特性情報によって定まる非通知希望要件を充足しないという条件を更に含む。
【００１４】
第７の態様に係る交流支援装置は、第１〜第６の何れかの態様において、前記指示ユーザの操作又は前記指示ユーザによる印刷指示の文書内容に応じて、前記指示ユーザの印刷指示に対して非通知指定をする非通知指定部を更に備え、前記通知条件は、前記指示ユーザの前記印刷指示に前記非通知指定がされていないという条件を更に含む。
【００１５】
第８の態様に係る交流支援装置は、第７の態様において、前記文書内容は、文書ファイルのファイル名を含む。
【００１６】
第９の態様に係る交流支援装置は、第１〜第８の何れかの態様において、前記交流支援装置は、前記複数のユーザの各々について、通知を禁止するユーザを登録する通知禁止ユーザ登録部を更に備え、前記通知条件は、前記使用中ユーザが、前記指示ユーザの前記通知禁止ユーザではないという条件を更に含む。
【００１７】
第１０の態様に係る交流支援装置は、第１〜第９の何れかの態様において、前記ユーザ特性登録部は、ユーザの印刷指示の文書内容から抽出した当該ユーザのユーザ特性情報を自動的に登録する自動登録部を含んで構成される。
【００１８】
第１１の態様に係る交流支援装置は、第１〜第１０の何れかの態様において、前記第一通知が行われた場合に、前記使用中ユーザの操作を受け付ける操作受付手段と、前記操作に応じた内容を応答情報とする応答通知であって、前記指示ユーザの端末装置から前記指示ユーザに対してする応答通知の制御を行う第２制御部と、を更に備える。
【００１９】
第１２の態様に係る交流支援装置は、第１〜第１１の何れかの態様において、前記交流支援装置は、前記指示ユーザが前記画像形成装置に近づいたことの検知をする指示ユーザ検知部と、前記指示ユーザが前記画像形成装置に近づいたことを示す情報が含まれる情報を接近通知情報として前記画像形成装置から前記使用中ユーザに通知する制御である接近通知制御を、前記指示ユーザ検知部によって前記検知がされたという条件を含む接近通知条件を充足する場合に行う接近通知制御部と、を更に備える。
【００２０】
第１３の態様に係る交流支援装置は、第１２の態様において、前記指示ユーザ検知部は、前記指示ユーザが携帯している携帯端末装置と前記画像形成装置との通信時における電波強度を用いて、前記検知をする。
【００２１】
第１４の態様に係るプログラムは、コンピュータを、第１〜第１１の何れかの態様の各部として機能させるためのプログラムである。
【発明の効果】
【００２２】
第１の態様によれば、画像形成装置を使用しているユーザに、当該画像形成装置に印刷指示をしたユーザがいることを知らせることができ、かつ、当該画像形成装置に待機するか否かの判断材料を与えることができる。
【００２３】
第２の態様によれば、使用中ユーザが交流を希望する特性を持つユーザが印刷指示した場合と、指示ユーザが交流を希望する特性を持つユーザが画像形成装置を使用中の場合との両方で、指示ユーザが存在することを使用中ユーザに知らせることができる。
【００２４】
第３の態様によれば、使用中ユーザが交流を希望する特性を持つユーザが印刷指示した場合、指示ユーザが存在することを使用中ユーザに知らせることができる。
【００２５】
第４の態様によれば、指示ユーザが交流を希望する特性を持つユーザが画像形成装置を使用中の場合、指示ユーザが存在することを使用中ユーザに知らせることができる。
【００２６】
第５の態様によれば、交流希望要件に基づく通知判断の処理を最小限の処理とすることができる。
【００２７】
第６の態様によれば、使用中ユーザが通知されて欲しくないと考える特性を持つユーザが印刷指示した場合、通知がされない。
【００２８】
第７の態様によれば、指示ユーザの操作又は印刷指示の文書内容に応じて、指示をしたユーザがいること使用中ユーザに知らせないことができる。
【００２９】
第８の態様によれば、指示ユーザは、文書ファイルのファイル名を適宜設定することで、自らが印刷指示をしたことを使用中ユーザに知らせないことができる。
【００３０】
第９の態様によれば、指示ユーザは、特定のユーザが使用中ユーザである場合に、自らが印刷指示をしたことを使用中ユーザに知らせないようにすることができる。
【００３１】
第１０の態様によれば、ユーザ自らの操作によって積極的に登録されたユーザ特性情報のみが登録される態様と比較して、使用中ユーザに通知できる情報の幅が広がる。
【００３２】
第１１の態様によれば、通知を受けた使用中ユーザは、必要に応じて、指示ユーザに応答することができる。
【００３３】
第１２の態様によれば、使用中ユーザは、指示ユーザがどの人であるかの当たりがつけやすくなる。
【００３４】
第１３の態様によれば、指示ユーザに携帯端末装置を利用することで、使用中ユーザに指示ユーザの画像形成装置への接近を知らせることができる。
【図面の簡単な説明】
【００３５】
【図１】交流支援システムの概略図である。
【図２】実施形態に係る交流支援システムの機能構成図である。
【図３】実施形態の画像形成装置で行われる処理を示すフローチャートである。
【図４】実施形態の画像形成装置で行われる処理を示すフローチャートである。
【図５】使用中ユーザに対する通知の際の表示画面の一例である。
【図６】使用中ユーザに対する通知の際の表示画面の一例である。
【図７】実施形態の交流支援システムのハードウェア構成を示すブロック図である。
【発明を実施するための形態】
【００３６】
本開示の一実施形態について説明する。
【００３７】
図１は、交流支援システムの概略図である。
図１に示すように、交流支援システムは、画像形成装置１と、複数の端末装置２Ａ，２Ｂ，２Ｃ，・・・と、を備える。以下、特に区別しないときは、単に端末装置２と記載する。
【００３８】
画像形成装置１は、シェアオフィスなど、複数のユーザがオフィスを共有する場所に設置される。
複数の端末装置２の各々は、シェアオフィスなど、オフィスを共有する複数のユーザが利用する端末装置である。
【００３９】
端末装置２は、図示のようなノートブックコンピュータでなくてもよく、例えば、ラップトップコンピュータや、タブレットコンピュータ、スマートフォン等の携帯端末装置であってもよい。
【００４０】
画像形成装置１は、用紙等の媒体に画像を形成する装置である。
更に、画像形成装置１は、複合機であり、印刷機能やコピー機能の他に、スキャナ機能、ファックス送受信機能等の複数の機能を備える。
【００４１】
画像形成装置１は、シェアオフィスの入居者である複数のユーザによって共用される装置（つまり共用装置）である。画像形成装置１は、例えばシェアオフィスにおける共有スペースなど、複数のユーザが利用可能なスペースに設置される。
【００４２】
各ユーザは、画像形成装置１を使用するための個別のＩＤを有する。各ユーザは、画像形成装置１のカードリーダにＩＤカードかざしたり、画像形成装置１のパネルにユーザ名を入力したりすることで、認証を受けることができる。認証の手段はＩＤカードやパネルへの入力に限られず、顔認証、指紋認証、虹彩認証などその他の認証手段を用いても良い。ユーザが認証を受けることで、画像形成装置１の各種機能が使用可能な状態となる。
【００４３】
画像形成装置１の印刷機能を使用する場合の流れについて説明する。
まず、ユーザが、端末装置２や他の端末装置に対し、画像形成装置１で印刷を行うための操作を行う。すると、端末装置２や他の端末装置は、上述の操作に応じて印刷指示を生成し、印刷指示を画像形成装置１に送信する。画像形成装置１は、印刷指示を受信し、一旦保持する。次に、ユーザが、画像形成装置１に来訪し、画像形成装置１に対する認証を受け、画像形成装置１を操作することで、画像形成装置１は、印刷指示の実行を開始し、印刷指示に応じた印刷が行われる。後述する指示ユーザとは、例えば画像形成装置１に対して、印刷を行うために操作を行うなど、印刷指示をしたユーザのことである。一方、使用中ユーザとは、画像形成装置１に来訪し、画像形成装置１に認証を受け、画像形成装置１を操作しているユーザのことである。使用中とは、実際に機器に接して操作している状態だけではなく、印刷指示の実行を開始し印刷が完了していない状態、印刷が完了した後であっても認証状態が維持されていたり、印刷が中断されていたり、出力物を取り出していない場合も含まれる。
【００４４】
（交流支援システムの機能構成）
図２は、本実施形態に係る交流支援システムの機能構成を示す図である。
【００４５】
（交流支援装置）
本実施形態の交流支援システムの画像形成装置１は、交流支援装置３を備える。
但し、本開示はこれに限定されない。画像形成装置１は、交流支援装置３を備えていなくてもよく、交流支援装置３は、画像形成装置１とは別に、画像形成装置１及び端末装置２と接続されたネットワーク上に設けられてもよい。
以下、交流支援装置３を備える画像形成装置１について説明する。
【００４６】
画像形成装置１は、ユーザ特性管理部１９Ｌと、交流希望特性管理部１９Ｍと、非通知希望特性管理部１９Ｎと、を備える。以下、特に区別しないときは、単に管理部１９と記載する。
【００４７】
管理部１９は、ユーザに関する情報を管理（記憶を含む）する構成であり、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等の記憶装置を含んで構成される。
【００４８】
ユーザ特性管理部１９Ｌは、ユーザ特性情報を管理する構成である。ユーザ特性情報とは、ユーザの特性を示す情報を意味する。
ユーザの特性とはユーザの経歴や所属、趣向を示すものであって、業種、職種、資格、専門分野、関心分野、趣味等が含まれる。また、本開示では、ユーザの特性とは、ユーザの識別情報（例えばユーザ名）をも含む概念である。
【００４９】
交流希望特性管理部１９Ｍは、交流希望特性情報を管理する構成である。交流希望特性情報とは、ユーザが交流を希望する特性を示す情報を意味する。ユーザが交流を希望する特性とは、そのユーザがどのような特性を持つユーザと交流したいのかという意味である。
ここでいう特性は、ユーザ特性登録部１１１Ｌに登録されるユーザ特性情報が示す特性と対応している。
【００５０】
非通知希望特性管理部１９Ｎは、非通知希望特性情報を管理する構成である。
非通知希望特性情報とは、
（１）自分が使用中ユーザであるときに他のユーザが印刷指示をしても、自分に対して通知されて欲しくない、指示ユーザの特性、及び、
（２）自分が指示ユーザであるときに他のユーザが画像形成装置を使用中であっても、自分が印刷指示したことを使用中ユーザに通知して欲しくない、使用中ユーザの特性
を示す情報を意味する。
非通知希望特性管理部１９Ｎは、上記（１）（２）を別々に管理する。
ここでいう特性も、ユーザ特性登録部１１１Ｌに登録されるユーザ特性情報が示す特性と対応している。
【００５１】
また、画像形成装置１は、機能構成として、ユーザ特性登録部１１１Ｌと、交流希望特性登録部１１１Ｍと、非通知希望特性登録部１１１Ｎと、を備える。以下、特に区別しないときは、単に登録部１１１と記載する。
【００５２】
ユーザ特性登録部１１１Ｌは、ユーザ特性情報をユーザ特性管理部１９Ｌに登録する。
【００５３】
ユーザ特性登録部１１１Ｌによる登録は、基本的には、当該ユーザによる登録操作や、システムの管理者による登録操作を受け付けてから行われる。登録操作としては、プルダウン等による選択式やテキストの入力式等が挙げられる。
【００５４】
交流希望特性登録部１１１Ｍは、交流希望特性情報を交流希望特性管理部１９Ｍに登録する。
【００５５】
交流希望特性登録部１１１Ｍによる登録は、基本的には、当該ユーザによる登録操作、システムの管理者による登録操作を受け付けてから行われる。登録操作としては、プルダウン等による選択式やテキストの入力式等が挙げられる。但し、交流希望特性登録部１１１Ｍによる登録、後述するように自動的に行われてもよい。
【００５６】
非通知希望特性登録部１１１Ｎは、非通知希望特性情報を非通知希望特性登録部１１１Ｎに登録する。
【００５７】
非通知希望特性登録部１１１Ｎによる登録は、基本的には、当該ユーザによる登録操作、システムの管理者による設定作業を受け付けてから行われる。
例えば、競合会社の社員等に自らの情報を見せたくない場合等には、ユーザは、会社名、業種などを非通知希望特性情報として登録するための設定作業をする。
【００５８】
また、画像形成装置１は、機能構成として、ユーザ特性取得部１１２Ｌと、非通知希望特性取得部１１２Ｎと、交流希望特性取得部１１２Ｍと、通知判断部１１３Ｔと、待機判断情報作成部１１３Ｓと、第１制御部１１４と、を備える。
これら各機能部についての説明は、図３、図４のフローチャートに示す処理の説明の中で行う。
【００５９】
また、画像形成装置１は、機能構成として、画像形成装置１のユーザインタフェース１７に対する操作を受け付ける操作受付部１１６Ｓと、第２制御部１１５と、を備える。
【００６０】
第２制御部１１５は、応答通知の制御を行う。応答通知とは、操作受付部１１６Ｓが受け付けた操作に応じた内容を応答情報とする通知であって、指示ユーザの端末装置２から指示ユーザに対して行われる通知である。
【００６１】
図７は、本実施形態の交流支援システムのハードウェア構成を示すブロック図である。
【００６２】
図７に示すように、画像形成装置１は、ＣＰＵ（Ｃｅｎｔｒａｌ  Ｐｒｏｃｅｓｓｉｎｇ  Ｕｎｉｔ：プロセッサ）１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、ストレージ１９、および通信インタフェース１５、カードリーダ１６、ユーザインタフェース１７及び接近検知装置１８を有する。各構成は、バスを介して相互に通信可能に接続されている。
【００６３】
ＣＰＵ１１は、中央演算処理ユニットであり、各種プログラムを実行したり、各部を制御したりする。すなわち、ＣＰＵ１１は、ＲＯＭ１２またはストレージ１９からプログラムを読み出し、ＲＡＭ１３を作業領域としてプログラムを実行する。ＣＰＵ１１は、ＲＯＭ１２またはストレージ１９に記録されているプログラムにしたがって、上記各構成の制御および各種の演算処理を行う。本実施形態では、ＲＯＭ１２またはストレージ１９には、交流支援のためのプログラムが格納されている。
【００６４】
ＲＯＭ１２は、各種プログラムおよび各種データを格納する。ＲＡＭ１３は、作業領域として一時的にプログラムまたはデータを記憶する。ストレージ１９は、ＨＤＤまたはＳＳＤにより構成され、オペレーティングシステムを含む各種プログラム、および各種データを格納する。
通信インタフェース１４は、画像形成装置１が他の機器と通信するためのインタフェースであり、たとえば、イーサネット（登録商標）、ＦＤＤＩ、Ｗｉ−Ｆｉ（登録商標）等の規格が用いられる。
【００６５】
以上説明した画像形成装置１の機能構成としての各機能部は、ＣＰＵ１１がＲＯＭ１２またはストレージ１９に記憶された交流支援のためのプログラムを読み出し、実行することにより実現される。なお、プログラムは、非一時的な記憶媒体に記憶されたものとして提供されてもよい。
その他、端末装置２は、図７に示すハードウェア構成を備えるが、詳しい説明は省略する。
【００６６】
（処理の流れ）
次に、本実施形態の交流支援システムで行われる処理の流れについて説明する。
【００６７】
図３は、画像形成装置１で行われる処理を示すフローチャートである。
【００６８】
ステップＳ１０１では、画像形成装置１は、印刷指示受信部１１６Ｔが印刷指示を受信したか否かを判断する。
【００６９】
印刷指示を受信していない場合、画像形成装置１は、ステップＳ１０１の処理を繰り返す。
印刷指示を受信した場合、画像形成装置１は、処理をステップＳ１０２に進める。
【００７０】
ステップＳ１０２では、画像形成装置１は、受信した印刷指示に非通知指定がされているか否かを判断する。
【００７１】
印刷指示に非通知指定がされている場合、画像形成装置１は、処理をステップＳ１０１に戻す。
印刷指示に非通知指定がされていない場合、画像形成装置１は、処理をステップＳ１０３に進める。
【００７２】
本実施形態では、ユーザは、画像形成装置１によって印刷しようとする場合、自身の端末装置２等を操作することにより、画像形成装置１に印刷指示を送信する。ユーザは、印刷内容が秘匿性の高いものである場合等において、印刷指示を送信するための操作の際に、自らが印刷指示をしても使用中ユーザに対して通知がされないように指定する。つまり、ユーザは、印刷内容が秘匿性の高いものである場合等において、印刷指示を送信する際の操作によって、非通知指定（すなわち、印刷指示をしても使用中ユーザに対して通知がされないようにする指定）をする。
すなわち、本実施形態に係る交流支援システムは、機能構成として、非通知指定部２１３を備える。非通知指定部２１３は、指示ユーザの操作に応じて、指示ユーザの印刷指示に対して非通知指定をする。
【００７３】
また、本実施形態の非通知指定部２１３は、指示ユーザによる印刷指示の文書内容に応じて、指示ユーザの印刷指示に対して非通知指定をする。具体的には、一例として、非通知指定部２１３は、印刷指示の文書内容として文書ファイルのファイル名や文書内容を参照し、非通知指定をする。非通知指定部２１３が印刷指示に非通知指定をするか否か判断基準は、一例として、ファイル名や文書内容に「秘」や「社外秘」、「ｃｏｎｆｉｄｅｎｔｉａｌ」等の文書内容の秘匿性が高いことを示す表示が含まれているか否かである。
【００７４】
ステップＳ１０３では、画像形成装置１は、画像形成装置１が使用中か否かを判断する。
本実施形態では、画像形成装置１が使用中か否かの判断は、画像形成装置１が認証中か否かを判断基準とする。
【００７５】
画像形成装置１が使用中でなければ、画像形成装置１は、処理をステップＳ１０１に戻す。
画像形成装置１が使用中であれば、画像形成装置１は、処理をステップＳ１０４に進める。
なお、ステップＳ１０１とステップＳ１０３の処理により、第１通知の通知条件として、使用中ユーザと指示ユーザの両方が存在するという条件が判断されている。
【００７６】
ステップＳ１０４では、画像形成装置１は、ユーザ特性取得部１１２Ｌとして、使用中ユーザ及び指示ユーザのユーザ特性情報を取得する。また、画像形成装置１は、交流希望特性取得部１１２Ｍとして、使用中ユーザ及び指示ユーザの交流希望特性情報を取得する。また、画像形成装置１は、非通知希望特性取得部１１２Ｎとして、使用中ユーザ及び指示ユーザの非通知希望特性情報を取得する。
【００７７】
ステップＳ１０５では、画像形成装置１は、通知判断部１１３Ｔとして、指示ユーザのユーザ特性情報が、使用中ユーザの非通知希望要件を充足するか否かを判断する。
ここで、使用中ユーザの非通知希望要件とは、使用中ユーザの非通知希望特性情報によって定まる要件である。本実施形態では、使用中ユーザの非通知希望要件は、使用中ユーザの非通知希望特性情報が示す１又は複数の特性と、指示ユーザのユーザ特性情報が示す１又は複数の特性と、が少なくとも１つ一致するという要件とされている。
【００７８】
指示ユーザのユーザ特性情報が、使用中ユーザの非通知希望要件を充足する場合、画像形成装置１は、処理をステップＳ１０１に戻す。
指示ユーザのユーザ特性情報が、使用中ユーザの非通知希望要件を充足しない場合、画像形成装置１は、処理をステップＳ１０６に進める。
【００７９】
ステップＳ１０６では、画像形成装置１は、通知判断部１１３Ｔとして、使用中ユーザのユーザ特性情報が、指示ユーザの非通知希望要件を充足するか否かを判断する。
ここで、指示ユーザの非通知希望要件とは、指示ユーザの非通知希望特性情報によって定まる要件である。本実施形態では、指示ユーザの非通知希望要件は、指示ユーザの非通知希望特性情報が示す１又は複数の特性と、使用中ユーザのユーザ特性情報が示す１又は複数の特性と、が少なくとも１つ一致するという要件とされている。
【００８０】
使用中ユーザのユーザ特性情報が、指示ユーザの非通知希望要件を充足する場合、画像形成装置１は、処理をステップＳ１０１に戻す。
使用中ユーザのユーザ特性情報が、指示ユーザの非通知希望要件を充足しない場合、画像形成装置１は、処理をステップＳ１０６に進める。
【００８１】
ステップＳ１０７では、画像形成装置１は、通知判断部１１３Ｔとして、指示ユーザのユーザ特性情報が使用中ユーザの交流希望要件を充足するか否かを判断する。
ここで、使用中ユーザの交流希望要件とは、使用中ユーザの交流希望特性情報によって定まる要件である。本実施形態では、使用中ユーザの交流希望要件は、使用中ユーザの交流希望特性情報が示す１又は複数の特性と、指示ユーザのユーザ特性情報が示す１又は複数の特性と、が少なくとも１つ一致するという要件とされている。
【００８２】
指示ユーザのユーザ特性情報が使用中ユーザの交流希望要件を充足しない場合、画像形成装置１は、処理をステップＳ１０８に進める。
指示ユーザのユーザ特性情報が使用中ユーザの交流希望要件を充足する場合、画像形成装置１は、処理をステップＳ１０９に進める。
【００８３】
ステップＳ１０８では、画像形成装置１は、通知判断部１１３Ｔとして、使用中ユーザのユーザ特性情報が指示ユーザの交流希望要件を充足するか否かを判断する。
ここで、指示ユーザの交流希望要件とは、指示ユーザの交流希望特性情報によって定まる要件である。本実施形態では、指示ユーザの交流希望要件は、指示ユーザの交流希望特性情報が示す１又は複数の特性と、使用中ユーザのユーザ特性情報が示す１又は複数の特性と、が少なくとも１つ一致するという要件とされている。
【００８４】
使用中ユーザのユーザ特性情報が指示ユーザの交流希望要件を充足しない場合、画像形成装置１は、処理をステップＳ１０１に戻す。
使用中ユーザのユーザ特性情報が指示ユーザの交流希望要件を充足する場合、画像形成装置１は、処理をステップＳ１０９に進める。
【００８５】
ステップＳ１０９では、画像形成装置１は、待機判断情報作成部１１３Ｓとして、待機判断情報を作成する。
【００８６】
ここで、待機判断情報とは、指示ユーザの来訪を待機するか否かについての使用中ユーザの判断に役立つ情報を意味する。
待機判断情報としては、例えば、以下の情報が挙げられる。
（Ａ）指示ユーザのユーザ特性情報
（Ｂ）指示ユーザのユーザ特性情報を含まず、かつ、指示ユーザのユーザ特性情報が使用中ユーザの交流希望要件を充足することを示す情報
（Ｃ）指示ユーザのユーザ特性情報を含まず、かつ、使用中ユーザのユーザ特性情報が指示ユーザの交流希望要件を充足することを示す情報
【００８７】
（Ａ）指示ユーザのユーザ特性情報は、指示ユーザの来訪を待機するか否かについての、使用中ユーザの判断に役立つといえる。
（Ｂ）指示ユーザのユーザ特性情報が使用中ユーザの交流希望要件を充足することや、（Ｃ）使用中ユーザのユーザ特性情報が指示ユーザの交流希望要件を充足することも、指示ユーザの来訪を待機するか否かについての、使用中ユーザの判断に役立つといえる。
【００８８】
なお、待機判断情報作成部１１３Ｓが、ユーザ特性登録部１１１Ｌによって登録された指示ユーザのユーザ特性情報をそのまま待機判断情報とすることも、本開示における「作成」に当たる。
【００８９】
ステップＳ１１０では、画像形成装置１は、第１制御部１１４として、使用中ユーザに対する通知（第１通知）を行うように制御する。
例えば、画像形成装置１、画像形成装置１のユーザインタフェース１７である操作パネル、又は、使用中ユーザの携帯端末装置に通知情報を表示する制御や報知音を鳴らす制御を行う。
【００９０】
第１通知による通知情報は、待機判断情報を含む。このため、第１通知によって、画像形成装置を使用しているユーザに、当該画像形成装置に印刷指示をしたユーザがいることを知らせることができだけでなく、当該画像形成装置に待機するか否かの判断材料を与えることができる。
【００９１】
第１通知による通知情報は、上記（Ａ）（Ｂ）（Ｃ）の何れか又は複数のみを示す情報であってもよいが、次の事項を示すものであってもよい。
（１）指示ユーザの業種、職種、資格
（２）指示ユーザの業種、職種、資格の以外の特性（例えば、趣味）
（３）指示ユーザの容姿（例えば、指示ユーザの顔写真）等のどのユーザが通知された指示ユーザなのかの判断に役立つ情報
（４）連絡先、アイデア情報、自己紹介文等の秘匿性が高い情報
【００９２】
通知情報の表示の一例を図５に示す。図５に示す表示では、指示ユーザのユーザ特性情報が使用中ユーザの交流希望要件を充足することを示す情報が示されている。「あなたが交流を希望する特性と一致した特性を有する（ユーザが印刷指示しています。）」との表示部分がこれに当たる。
また、図５に示す表示では、指示ユーザのユーザ特性情報が示されている。「ユーザ名：ユーザＡ  一致した特性：会社名Ａ、職種Ｂ」との表示部分がこれに当たる。なお、上述したとおり、本開示の「特性」は、ユーザ名を含む概念である。したがって、図５に示す表示は、ユーザ名と、ユーザ名以外の特性との両方を示しているといえる。ユーザ名などユーザを認識するために必要な情報以外の特性に関する表示は、一致した特性を表示して一致しない特性は表示しなくても良い。
【００９３】
なお、「自己紹介：・・・・・・・・・・」との表示部分も、指示ユーザの特性を示すといえる。このように、自己紹介文（や連絡先、アイデア情報）を表示するためには、例えば以下のように、交流支援装置３が構成されていればよい。
すなわち、ユーザ特性管理部１９Ｌを、ユーザの自己紹介文を管理可能に構成する。そして、ユーザ特性登録部１１１Ｌは、ユーザの操作を受けて、ユーザ特性管理部１９Ｌにユーザの自己紹介文を登録可能に構成する。
但し、ユーザ特性情報として登録された自己紹介文は、待機判断情報作成部１１３Ｓによる待機判断情報の作成にのみ用いられ、通知判断部１１３Ｔの通知判断に用いられなくてもよい。
【００９４】
ここで、第１制御部１１４による通知の変形例を図６を用いて説明する。
この変形例では、まず、第１制御部１１４は、操作パネルに、秘匿性の低いユーザ情報（図６では、指示ユーザのユーザ特性情報が使用中ユーザの交流希望要件を充足することを示す情報である。）と「詳細情報表示」のためのボタンを表示させる。
次に、「詳細情報表示」のためのボタンが押された場合、第１制御部１１４は、使用中ユーザが事前に登録したメールアドレス等に、指示ユーザに関する秘匿性の高い情報を転送する。なお、携帯端末装置のアプリと連携して、事前に登録した認証情報、端末識別情報などを元に送信先の携帯端末装置を特定し秘匿性の高い情報を転送してもよい。図６では、「詳細情報表示」ボタンのみ示されているが、当該ボタン以外に「端末に転送」ボタンを表示し、当該ボタンが押された場合には、秘匿性の低いユーザ情報と併せて、特定した携帯端末装置に転送しても良い。
【００９５】
（第１通知の後の処理）
図４は、図３に示す処理に続けて、画像形成装置１で行われる処理を示すフローチャートである。
【００９６】
ステップＳ１１１では、画像形成装置１は、通知判断部１１４として、操作受付部１１６Ｓが応答操作を受け付けた否かを判断する。
【００９７】
ここで、応答操作とは、画像形成装置１又は使用中ユーザの携帯端末装置に対する操作であって、指示ユーザに対する応答通知を行うための操作を意味する。本実施形態では、図５に示すように、使用中ユーザに対する通知の際の表示画面には、「この人にメッセージを送りますか？」という表示と共に、ＧＵＩのボタンとして「複合機で待っています」というボタンが設けられている。本実施形態における応答操作は、このボタンが押されることである。
【００９８】
応答操作がされなかった場合（例えば、所定期間内にボタンが押されなかった場合や、使用中ユーザが認証されていた期間内にボタンが押されなかった場合、ステップＳ１１１：ＮＯ）、画像形成装置１は、処理を終了する。
応答操作がされた場合（ステップＳ１１１：ＹＥＳ）、画像形成装置１は、処理をステップＳ１１２に進める。
【００９９】
ステップＳ１１２では、画像形成装置１は、第２制御部１１５として、応答操作に応じた内容の応答通知とする応答通知が、指示ユーザに対して行われるように制御する。
具体的には、画像形成装置１は、第２制御部１１５として、応答指示（第２通知のための信号）を指示ユーザの端末装置２に送信する。
【０１００】
本実施形態では、使用中ユーザによって、図５に示すボタンを押されると、第２制御部１１５によって送信された応答指示により、指示ユーザの端末装置２のユーザインタフェース２５である表示装置に「複合機で待っています」との表示がされる。
【０１０１】
（接近通知制御）
また、本実施形態に係る交流支援システムの交流支援装置３は、指示ユーザ検知部１１７Ｓと、接近通知制御部１１７Ｔと、を備える。
【０１０２】
指示ユーザ検知部１１７Ｓは、指示ユーザが画像形成装置１に近づいたことの検知をする。
具体的には、指示ユーザ検知部１１７Ｓは、画像形成装置１が備える接近検知装置１８からの信号により、指示ユーザが画像形成装置１に近づいたことを検知する。接近検知装置１８としては、例えば、指示ユーザが携帯する携帯端末装置と電波により通信するものが挙げられる。この場合、指示ユーザ検知部１１７Ｓは、接近検知装置１８と指示ユーザの携帯端末装置との通信における電波強度を用いて、指示ユーザが画像形成装置１に近づいたことの検知をする。接近検知装置１８としては、他に、超音波を用いるもの、カメラを用いるもの等が挙げられる。
【０１０３】
接近通知制御部１１７Ｔは、指示ユーザ検知部１１７Ｓによって検知がされたという通知条件を充足する場合に接近通知制御を行う。ここで、接近通知制御とは、接近通知情報を通知情報として通知する制御である。接近通知情報とは、指示ユーザが画像形成装置に近づいたことを示す情報である。
接近通知制御は、使用中ユーザに通知するための制御である。そのため、接近通知制御部１１７Ｔは、画像形成装置１のユーザインタフェース１７による通知や、使用中ユーザの携帯端末装置による通知を制御する。
【０１０４】
接近通知情報は、指示ユーザが画像形成装置１に近づいたことのみを示す情報であってもよいが、次の情報を更に示すものであってもよい。
（１）指示ユーザの容姿を示す情報（例えば、顔写真）
（２）その他、どのユーザが指示ユーザであるのかの判断に役立つ情報
【０１０５】
通知を受けた使用中ユーザは、接近通知情報に基づいて、例えば、どのユーザが指示ユーザであるのかを判断する。
【０１０６】
（通知禁止ユーザ）
また、上記実施形態に係る交流支援システムでは、ユーザは、自身の非通知希望特性として、ある特定のユーザの識別情報（例えばユーザ名）を、非通知希望特性登録部１１１Ｎに登録させることで、特定のユーザとの間で通知が行われることを禁止することが可能である。
例えば、「（１）自分が使用中ユーザであるときに他のユーザが印刷指示をしても、自分に対して通知されて欲しくない、指示ユーザの特性」として、特定のユーザの識別情報（例えばユーザ名）を非通知希望特性登録部１１１Ｎに登録させることで、ユーザは、自分が使用中ユーザであるときに、当該特定のユーザが印刷指示をしても、自分に対して通知がされない。
この場合、非通知希望特性登録部１１１Ｎは、ユーザが通知を禁止するユーザである通知禁止ユーザを登録する通知禁止ユーザ登録部として機能するといえる。
【０１０７】
但し、上記実施形態の非通知希望特性登録部１１１Ｎ及び非通知希望特性管理部１９Ｎに変えて、ユーザの識別情報以外の特性を登録しない非通知希望特性登録部１１１Ｎ（つまり通知禁止ユーザ登録部）及びユーザの識別情報以外の特性を管理しない非通知希望特性管理部１９Ｎ（つまり通知禁止ユーザ管理部）としてもよい。
【０１０８】
（自動登録部）
また、上記実施形態では、ユーザ特性登録部１１１Ｌは、自動登録部１１１ＬＡを含んで構成される。自動登録部１１１ＬＡは、ユーザの印刷指示の文書内容から抽出した当該ユーザのユーザ特性情報を自動的に登録する。
【０１０９】
例えば、自動登録部１１１ＬＡは、印刷指示受信部１１６Ｔが印刷指示を受信した後であって、取得部１１２が各種情報を取得する前に（つまり図４に示す処理におけるステップＳ１０１の後であってステップＳ１０４の前）、抽出したユーザ特性情報を自動的に登録する。この場合、交流支援装置３は、ステップＳ１０４において、自動登録部１１１ＬＡによって登録された指示ユーザのユーザ特性情報を取得する。通知判断部１１３Ｔは、通知判断において、指示ユーザの印刷指示の文書内容から抽出したユーザ特性情報を使用する。また、待機判断情報作成部１１３Ｓは、待機判断情報の作成に、指示ユーザの印刷指示の文書内容から抽出したユーザ特性情報を使用する。
【０１１０】
〔補足説明〕
なお、上記実施形態では、交流支援装置３が各管理部１９を備える例を説明したが、本開示はこれに限定されない。管理部１９は、交流支援装置３の外部であって、交流支援装置３と接続されたネットワーク上に設けられてもよい。
【０１１１】
また、上記実施形態では、通知条件は、指示ユーザのユーザ特性情報が使用中ユーザの交流希望要件を充足すること、又は、使用中ユーザのユーザ特性情報が指示ユーザの交流希望要件を充足することのいずれか又は両方を充足するという条件を含む例を説明した。換言すると、上記実施形態では、指示ユーザのユーザ特性情報が使用中ユーザの交流希望要件を充足しない場合であっても、使用中ユーザのユーザ特性情報が指示ユーザの交流希望要件を充足する場合には、第１通知が行われ得る例を説明した。また、換言すると、換言すると、上記実施形態では、指示ユーザのユーザ特性情報が使用中ユーザの交流希望要件を充足する場合には、使用中ユーザのユーザ特性情報が指示ユーザの交流希望要件を充足しない場合であっても、第１通知が行われ得る例を説明した。
しかし、本開示はこれに限定されない。
例えば、通知条件は、指示ユーザのユーザ特性情報が使用中ユーザの交流希望要件を充足するという条件を含んでいてもよい。換言すると、使用中ユーザの交流希望要件を充足することが、第１通知が行われるための必要条件とされてもよい。
また、例えば、通知条件は、使用中ユーザのユーザ特性情報が指示ユーザの交流希望要件を充足するという条件を含んでいてもよい。換言すると、指示ユーザの交流希望要件を充足することが、第１通知が行われるための必要条件とされてもよい。
【０１１２】
また、上記実施形態では、通知条件は、指示ユーザのユーザ特性情報が使用中ユーザの非通知希望要件を充足しないこと、及び、使用中ユーザのユーザ特性情報が指示ユーザの非通知希望要件を充足しないことの両方を充足するという条件を更に含む例を説明した。換言すると、上記実施形態では、指示ユーザのユーザ特性情報が使用中ユーザの交流希望要件を充足しない場合には第１通知が行われず、また、使用中ユーザのユーザ特性情報が指示ユーザの交流希望要件を充足しない場合にも、第１通知が行われない例を説明した。
しかし、本開示はこれに限定されない。
例えば、通知条件は、使用中ユーザのユーザ特性情報が指示ユーザの非通知希望要件を充足しないという条件を含み、かつ、指示ユーザのユーザ特性情報が使用中ユーザの非通知希望要件を充足しないという条件を含まなくてもよい。
また、例えば、通知条件は、使用中ユーザのユーザ特性情報が指示ユーザの非通知希望要件を充足しないという条件を含まず、かつ、指示ユーザのユーザ特性情報が使用中ユーザの非通知希望要件を充足しないという条件を含んでいてもよい。
【符号の説明】
【０１１３】
１     画像形成装置
２     端末装置
３     交流支援装置
１１１ 登録部
１１１Ｌ      ユーザ特性登録部
１１１ＬＡ    自動登録部
１１１Ｍ      交流希望特性登録部
１１１Ｎ      非通知希望特性登録部
１１３Ｓ      待機判断情報作成部
１１３Ｔ      通知判断部
１１４ 第１制御部
１１５ 第２制御部
１１６Ｓ      操作受付部
１１７Ｓ      指示ユーザ検知部
１１７Ｔ      接近通知制御部
２１３ 非通知指定部
【図１】
2020155017.tif 000003
【図２】
2020155017.tif 000004
【図３】
2020155017.tif 000005
【図４】
2020155017.tif 000006
【図５】
2020155017.tif 000007
【図６】
2020155017.tif 000008
【図７】
2020155017.tif 000009